Podtech/llm-jp-corpus-v4-ja_patent huggingface dataset:
【手続補正書】
【提出日】平成22年2月23日(2010.2.23)
【手続補正１】
【補正対象書類名】特許請求の範囲
【補正対象項目名】全文
【補正方法】変更
【補正の内容】
【特許請求の範囲】
【請求項１】
粒子の約５０％以上がＩＢ族元素、ＩＩＩＡ族元素、およびＶＩＡ族元素のうちの少なくとも１つから選ばれる少なくとも１つの元素を含む非球状の平面形状フレークであるとともに、前記インクに含まれるＩＢ族元素、ＩＩＩＡ族元素およびＶＩＡ族元素の全体量は、前記インク中で所望の化学量論比を有している、粒子からインクを調製する工程と、
前駆体層を形成すべく前記インクにより基板をコーティングする工程と、
高密度の薄膜を形成すべく好適な雰囲気下で前記前駆体層を加工する１つ以上の工程とを備える方法。
【請求項２】
前記インクは分散された形態にある、請求項１に記載の方法。
【請求項３】
少なくとも前記インク中の一部の前記粒子が少なくとも１つのＩＢ−ＩＩＩＡ族元素の金属間合金相を含む金属間ナノフレーク粒子である、請求項１又は２に記載の方法。
【請求項４】
前記金属間相が最終固溶体相及び固溶体相のいずれでもない、請求項３に記載の方法。
【請求項５】
金属間粒子に含まれるＩＢ族元素が、全粒子中のＩＢ族元素の約５０モル％未満である請求項１に記載の方法。
【請求項６】
前記金属間物質がＣｕ１Ｉｎ２、δ相のＣｕ１Ｉｎ２、δ相のＣｕ１Ｉｎ２とＣｕ１６Ｉｎ９で定義される相の中間の組成、Ｃｕ１Ｇａ２、中間固溶体のＣｕ１Ｇａ２、Ｃｕ６８Ｇａ３８、Ｃｕ７０Ｇａ３０、Ｃｕ７５Ｇａ２５、前記最終固溶体とその隣の中間固溶体の中間の相の組成のＣｕ−Ｇａ、γ１相（約３１．８〜約３９．８重量％Ｇａ）の組成のＣｕ−Ｇａ、γ２相（約３６．０〜約３９．９重量％Ｇａ）の組成のＣｕ−Ｇａ、γ３相（約３９．７〜約−４４．９重量％Ｇａ）の組成のＣｕ−Ｇａ、θ相（約６６．７〜約６８．７重量％Ｇａ）の組成のＣｕ−Ｇａ、γ２相とγ３相の中間の組成のＣｕ−Ｇａ、最終固溶体とγ１相の中間の組成のＣｕ−Ｇａ、及びＣｕに富むＣｕ−Ｇａからなる群のいずれか１つを含む請求項１に記載の方法。
【請求項７】
ＩＩＩＡ族元素としてガリウムが懸濁ナノ球体の形状で組み込まれる請求項３に記載の方法。
【請求項８】
前記ガリウムのナノ球体が溶液中の液体ガリウムのエマルジョンを生成す
ることにより形成される請求項７記載の方法。
【請求項９】
前記ガリウムが室温未満の温度まで急冷される請求項７記載の方法。
【請求項１０】
さらに、アルミニウム、テルル、または硫黄から選ばれる１つ以上の元素状粒子の混合物を添加する工程を備える、請求項１に記載の方法。
【請求項１１】
前記好適な雰囲気が、セレン、硫黄、テルル、Ｈ２、ＣＯ、Ｈ２Ｓｅ、Ｈ２Ｓ、Ａｒ、およびＮ２からなるグループのうちの少なくとも１つの元素または化合物、または前記の組合せまたは混合物を含む請求項１に記載の方法。
【請求項１２】
一以上のクラスの前記粒子がアルミニウム（Ａｌ）、硫黄（Ｓ）、ナトリウム（Ｎａ）、カリウム（Ｋ）、またはリチウム（Ｌｉ）からなるグループから選ばれる一以上の無機物質によりドープされる請求項１に記載の方法。
【請求項１３】
粒子の約過半数がＩＢ族元素、ＩＩＩＡ族元素、およびＶＩＡ族元素から選ばれる少なくとも１つの元素を含む非球状の平面形状ナノフレークである、請求項１に記載の方法。
【請求項１４】
さらに、前記ナノフレークをセレンおよび／またはセレン化物を含む少なくとも１つの層でコーティングすることを含む請求項１３に記載の方法。
【請求項１５】
前記ナノフレークが少なくとも１０以上のアスペクト比を有する請求項１３に記載の方法。
【請求項１６】
前記ナノフレークが少なくとも１５以上のアスペクト比を有する請求項１３に記載の方法。
【請求項１７】
前記ナノフレークがナトリウムを含む請求項１３に記載の方法。
【請求項１８】
前記ナノフレークがＣｕ−Ｎａ、Ｉｎ−Ｎａ、Ｇａ−Ｎａ、Ｃｕ−Ｉｎ−Ｎａ、Ｃｕ−Ｇａ−Ｎａ、Ｉｎ−Ｇａ−Ｎａ、Ｎａ−Ｓｅ、Ｃｕ−Ｓｅ−Ｎａ、Ｉｎ−Ｓｅ−Ｎａ、Ｇａ−Ｓｅ−Ｎａ、Ｃｕ−Ｉｎ−Ｓｅ−Ｎａ、Ｃｕ−Ｇａ−Ｓｅ−Ｎａ、Ｉｎ−Ｇａ−Ｓｅ−Ｎａ、Ｃｕ−Ｉｎ−Ｇａ−Ｓｅ−Ｎａ、Ｎａ−Ｓ、Ｃｕ−Ｓ−Ｎａ、Ｉｎ−Ｓ−Ｎａ、Ｇａ−Ｓ−Ｎａ、Ｃｕ−Ｉｎ−Ｓ−Ｎａ、Ｃｕ−Ｇａ−Ｓ−Ｎａ、Ｉｎ−Ｇａ−Ｓ−Ｎａ、またはＣｕ−Ｉｎ−Ｇａ−Ｓ−Ｎａのうち少なくとも１つの物質を含む請求項１３に記載の方法。
【請求項１９】
請求項１〜１８のいずれか一項に記載の方法に従って製造される、太陽電池。
【手続補正書】
【提出日】平成22年2月22日(2010.2.22)
【手続補正１】
【補正対象書類名】特許請求の範囲
【補正対象項目名】全文
【補正方法】変更
【補正の内容】
【特許請求の範囲】
【請求項１】
ＩＢ族元素カルコゲニドおよび／またはＩＩＩＡ族元素カルコゲニド粒子を含む前駆体物質を形成する工程と、
前記前駆体物質の前駆体層を基板表面上に形成する工程と、
前記前駆体物質の粒子を実質的に無酸素のカルコゲン雰囲気下にて、前記カルコゲニド粒子が反応して前記カルコゲニド粒子からカルコゲンを放出するに十分な加工温度まで加熱し、前記カルコゲンが液体状態をとりフラックスとして挙動して、元素の混合を増大させて、所望の化学量論比ＩＢ−ＩＩＩＡ族元素カルコゲニド薄膜を形成する工程とを備え、
前記前駆体物質中の少なくとも一組の前記粒子が少なくとも一つのＩＢ−ＩＩＩＡ族元素の金属間合金相を含む金属間粒子であることを含む方法。
【請求項２】
金属間粒子中のＩＢ族元素が前記全粒子中のＩＢ族元素の５０モル％未満である請求項１に記載の方法。
【請求項３】
前記金属間物質がＣｕ１Ｉｎ２を含む請求項１に記載の方法。
【請求項４】
前記金属間物質がδ相のＣｕ１Ｉｎ２とＣｕ１６Ｉｎ９で定義される相の中間の組成を有する請求項１に記載の方法。
【請求項５】
前記金属間物質がＣｕ１Ｇａ２を含む請求項１に記載の方法。
【請求項６】
前記金属間物質中間固溶体のＣｕ１Ｇａ２を含む請求項１に記載の方法。
【請求項７】
前記金属間が、γ１相（約３１．８〜約３９．８重量％Ｇａ）の組成のＣｕ−Ｇａを含む請求項１に記載の方法。
【請求項８】
前記金属間がγ２相（約３６．０〜約３９．９重量％Ｇａ）の組成のＣｕ−Ｇａを含む請求項１に記載の方法。
【請求項９】
前記金属間がγ３相（約３９．７〜約−４４．９重量％Ｇａ）の組成のＣｕ−Ｇａを含む請求項１に記載の方法。
【請求項１０】
前記金属間がθ相（約６６．７〜約６８．７重量％Ｇａ）の組成のＣｕ−Ｇａを含む請求項１に記載の方法。
【請求項１１】
前記好適な雰囲気が、セレン、硫黄、テルル、Ｈ２、ＣＯ、Ｈ２Ｓｅ、Ｈ２Ｓ、Ａｒ、およびＮ２からなるグループの内の少なくとも一つの元素または化合
物、または前記の組合せまたは混合物を含む請求項１に記載の方法。
【請求項１２】
複数のクラスの前記粒子がアルミニウム（Ａｌ）、硫黄（Ｓ）、ナトリウム（Ｎａ）、カリウム（Ｋ）、またはリチウム（Ｌｉ）からなるグループから選ばれる複数の無機物質によりドープされる請求項１に記載の方法。
【請求項１３】
前記生成するＩＢ−ＩＩＩＡ族元素カルコゲニド薄膜中で、ＩＢ族元素に対するＩＩＩＡ族元素のモル数の比率が約０．８０より大きく約１．０未満である請求項１に記載の方法。
【請求項１４】
前記粒子が約５．０重量パーセントより多い酸素を含まない請求項１に記載の方法。
【請求項１５】
反応させることが、前記粒子を反応させるために少なくとも部分的に前記粒子を融解させることを含む請求項１に記載の方法。
【請求項１６】
前記前駆体層中のＩＢ族元素カルコゲニドはＣｕｘＳｅｙを含み、前記前駆体層中のＩＢ族元素カルコゲニドはＣｕｚＳｅｙ（ここでｘ＞ｚ）を含む請求項１に記載の方法。
【手続補正書】
【提出日】平成22年1月18日(2010.1.18)
【手続補正１】
【補正対象書類名】特許請求の範囲
【補正対象項目名】全文
【補正方法】変更
【補正の内容】
【特許請求の範囲】
【請求項１】
１つ又は複数のコンピュータ可読媒体を具備し、
前記１つ又は複数のコンピュータ可読媒体上のコンピュータ可読命令は、実行されると、
ＲＳＳフィードを取得し（５１０）、
前記ＲＳＳフィードを処理して、前記フィードに関連したオブジェクト・モデルを提供し（５１２）、
関連するフィードデータについて記述するＸＭＬを理解する必要なしにエンティティが前記フィードデータと相互作用することができるように、エンティティに前記オブジェクト・モデルをエクスポーズする（５１４）
ように構成されたオブジェクトを実行する、システム。
【請求項２】
前記オブジェクトは、アドホックベースでフィードを取って来るか、予定された方式でフィードを取って来るか、ユーザがＲＳＳフィードを予約購読することを可能にするか、前記オブジェクトによって得られて前記フィードのフォーマットを前記オブジェクト・モデルが表す標準フォーマットへ標準化するＲＳＳフィードに関連付けられたＸＭＬを解析するか、ＲＳＳフィードデータをキャッシュするか、又はＲＳＳフィードデータを集めるように構成される請求項１に記載のシステム。
【請求項３】
前記オブジェクト・モデルは、
特定のＲＳＳフィードに関連したフィードオブジェクトと、
フィードの特定の項目に関連した項目オブジェクトと、
フィードの特定のエンクロージャに関連したエンクロージャ・オブジェクトとを含み、前記オブジェクト・モデルの個々のオブジェクトは関連する方法及びプロパティを有する請求項１に記載のシステム。
【請求項４】
前記オブジェクトはブラウザの一部を含む請求項１に記載のシステム。
【請求項５】
１つ又は複数のコンピュータ可読媒体を具備し、
前記１つ又は複数のコンピュータ可読媒体上のコンピュータ可読命令は、実行されると、
ＲＳＳフィードの要求を受け取り（５０２）、
関連するＲＳＳソースに対して対応する要求を行い（５０４）、
前記要求に関連したＲＳＳフィードデータを受け取り（５１０）、
前記ＲＳＳフィードデータに関連したＸＭＬを解析して、前記ＲＳＳフィードデータに関連する呼び出し可能な方法及びプロパティを少なくとも一部が有する個々のオブジェクトを含む標準化されたオブジェクト・モデルを構築し（５１２）、
アプリケーション又はウェブ・ページに前記オブジェクト・モデルをエクスポーズする（５１４）
ように構成されたウェブ・ブラウザを実行する、システム。
【請求項６】
前記オブジェクト・モデルは、
特定のＲＳＳフィードに関連したフィードオブジェクトと、
フィードの特定の項目に関連した項目オブジェクトと、
フィードの特定のエンクロージャに関連したエンクロージャ・オブジェクトとを含む請求項５に記載のシステム。
【請求項７】
前記ウェブ・ブラウザは、ＲＳＳフィード又は項目を求めるスケジューリング要求を受け取り、関連するスケジュールに従ってＲＳＳソースに対して要求を行うか、又は登録要求を受け取り、関連するイベントについて情報を求めるように構成される請求項５に記載のシステム。
【請求項８】
前記ウェブ・ブラウザは、登録要求を受け取り、関連するイベントについて情報を求めるように構成され、発生するイベントに関連した通知を生成するように構成される請求項５に記載のシステム。
【請求項９】
コンピュータにより実行される方法であって、
ＲＳＳフィードの要求を受信するステップ（５０２）と、
関連するＲＳＳソースに対して対応する要求を行うステップ（５０４）と、
前記要求に関連したＲＳＳフィードデータを受信するステップ（５１０）と、
前記ＲＳＳフィードデータに関連したＸＭＬを解析するステップと、
標準化されたオブジェクト・モデルを構築するステップ（５１２）であって、前記標準化されたオブジェクト・モデルは、前記ＲＳＳフィードデータに関連する呼び出し可能な方法及びプロパティを少なくとも一部が有する個々のオブジェクトを含む、構築するステップと、
アプリケーション又はウェブ・ページに前記オブジェクト・モデルをエクスポーズするステップ（５１４）とを具備する方法。
【請求項１０】
前記オブジェクト・モデルは、
特定のＲＳＳフィードに関連したフィードオブジェクトと、
フィードの特定の項目に関連した項目オブジェクトと、
フィードの特定のエンクロージャに関連したエンクロージャ・オブジェクトとを含む請求項９に記載の方法。
【請求項１１】
ＲＳＳフィード又は項目を求めるスケジューリング要求を受信するステップと、
関連するスケジュールに従ってＲＳＳソースに対して要求を行うステップとをさらに含む請求項９に記載の方法。
【請求項１２】
登録要求を受信するステップと、
関連するイベントについての情報を求めるステップとをさらに含む請求項９に記載の方法。
【請求項１３】
登録要求を受信するステップと、
関連するイベントについての情報を求めるステップと、
発生するイベントに関連した通知を生成するステップとをさらに含む請求項９に記載の方法。
【請求項１４】
前記動作はウェブ・ブラウザによって実行される請求項９に記載の方法。
【手続補正書】
【提出日】平成22年1月14日(2010.1.14)
【手続補正１】
【補正対象書類名】特許請求の範囲
【補正対象項目名】全文
【補正方法】変更
【補正の内容】
【特許請求の範囲】
【請求項１】
第１のアドレス値に基づいて第１のプリデコード値を求める段階と、
第１のクロック信号に応答して前記第１のプリデコード値をラッチして、ラッチされた第１のプリデコード値を提供する段階と、
前記ラッチされた第１のプリデコード値のみに直接応答してメモリ構成要素の第１のビット線のプリチャージを終了する段階と、
を含む方法。
【請求項２】
第１のクロック信号の第１の位相の間に、第１のアドレス値及び第２のアドレス値に基づいて第１のプリデコード値及び第２のプリデコード値を求める段階と、
前記第１のクロック信号の第１の位相の終了時の第１のエッジ事象に応答して前記第１のプリデコード値及び第２のプリデコード値をラッチして、ラッチされた第１のプリデコード値及びラッチされた第２のプリデコード値を提供する段階と、
前記ラッチされた第１のプリデコード値の対応するビットのアサートに応答してキャッシュのタグアレイの第１のセグメントを選択し、該第１のセグメントの第１のビット線のプリチャージを前記ラッチされた第１のプリデコード値のみに直接応答して終了する段階と、
前記ラッチされた第２のプリデコード値の対応するビットのアサートに応答して前記第１のセグメントの第１のワード線を選択し、該第１のワード線における第１のタグ値を第２のクロック信号の第１の位相の間に求める段階と、
前記第２のクロック信号の第１の位相の終了時の第２のエッジ事象に応答して前記第１のタグ値をラッチする段階と、
を含む方法。
【請求項３】
集積回路デバイスであって、
第１のプリデコード値及び第２のプリデコード値を受け取る第１の入力、第１のクロック信号を受け取る第２の入力、及び、前記第１のクロック信号のエッジ事象に応答してラッチされた第１のプリデコード値及びラッチされた第２のプリデコード値を提供する出力、を有する第１のラッチと、
メモリ構成要素と、
を備え、
前記メモリ構成要素が、
ラッチされた前記第１のプリデコード値及びラッチされた第２のプリデコード値を受け取る入力と、
第１のビット線と、
前記第１のビット線に結合され、前記ラッチされた第２のプリデコード値の対応するビットに各々が関連付けられた複数のワード線と、
を含み、
前記ラッチされた第１のプリデコード値の対応するビットを受け取る入力を有し、前記ラッチされた第１のプリデコード値の対応するビットにおける値のみに直接応答して前記第１のビット線をプリチャージするためのロジックが更に設けられている、
ことを特徴とする集積回路デバイス。
【手続補正書】
【提出日】平成22年2月26日(2010.2.26)
【手続補正１】
【補正対象書類名】特許請求の範囲
【補正対象項目名】全文
【補正方法】変更
【補正の内容】
【特許請求の範囲】
【請求項１】
サーチ結果を要求するためにユーザによって入力されるサーチ制限条件に関係するトピックを表示する方法であって、前記サーチ結果は、前記サーチ制限条件に関係する情報の集合内のデータ・アイテムを識別するものである、方法において、
（ａ）サーチ制限条件を受け取るステップと、
（ｂ）前記サーチ制限条件に関係するトピックの、一般データ・アイテムのサンプル集合を表す第１予備集合を識別するステップと、
（ｃ）前記サーチ制限条件に関係するトピックの、現行イベント・データ・アイテムのサンプル集合を表す第２予備集合を識別するステップと、
（ｄ）トピックの前記第１予備集合とトピックの前記第２予備集合の部分集合である表示トピックの集合を識別するステップと、
（ｅ）表示デバイスに表示トピックの前記集合を表示するステップと、
を有することを特徴とする方法。
【請求項２】
表示トピックの集合を識別するステップは、
（ｉ）トピックの前記第１予備集合から一般トピックしきい値個数のトピックを選択するステップと、
（ii）トピックの前記第２予備集合から現行イベント・トピックしきい値個数のトピックを選択するステップと、
をさらに有することを特徴とする方法。
【請求項３】
トピックの前記第２予備集合から固有名詞トピックしきい値個数の固有名詞をランダムに選択するステップをさらに有することを特徴とする請求項２に記載の方法。
【請求項４】
一般トピックしきい値個数のトピックを選択するステップは、個人的トピックしきい値個数のトピックを選択するステップを含み、個人的トピックは、前記ユーザが以前に関連することを見つけたトピックであることを特徴とする請求項２に記載の方法。
【請求項５】
個人的関心トピックは、個人的関心トピック・リポジトリに格納されることを特徴とする請求項４に記載の方法。
【請求項６】
前記サーチ制限条件に関連するトピックの集合を識別するステップは、
（ｉ）サーチ結果を生成するためにサーチを行うことであって、前記サーチ結果は、データ・アイテムの集合を含む、行うステップと、
（ii）前記サーチ結果内の各データ・アイテムに関連するトピックを抽出することによって前記サーチ結果からトピックの集合を判定するステップと、
を含むことを特徴とする請求項１２に記載の方法。
【請求項７】
サーチを行うステップとは、現行イベント・データ・アイテムのサンプル集合に対してサーチを行うステップを含むことを特徴とする請求項６に記載の方法。
【請求項８】
現行イベント・データ・アイテムの前記サンプル集合は、１つ又は複数の現行イベント・ウェブサイトから周期的に取り出されることを特徴とする請求項７に記載の方法。
【請求項９】
現行イベント・アイテムは主題に基づく割合で更新されることを特徴とする請求項８に記載の方法。
【請求項１０】
スポーツ情報は３０分おきに更新され、金融情報は３０分おきに更新され、健康情報は、１日１回更新され、一般ニュース情報は２時間おきに更新されることを特徴とする請求項９に記載の方法。
【請求項１１】
トピックの前記集合に関連する主題ドメインを作成するステップは、
（ｉ）前記サーチ制限条件に関連するトピックを有するデータ・アイテムをクラスタ化することであって、データ・アイテムは、トピックを共有する時に一緒にクラスタ化される、クラスタ化するステップと、
（ii）主題ドメインにまたがるトピックのオーバーラップを最小にするデータ・アイテムのクラスタ化に基づいて主題ドメインを作成するステップと
を有することを特徴とする請求項１２に記載の方法。
【請求項１２】
サーチ結果を要求するためにユーザによって入力されるサーチ制限条件に関係するトピックを表示する方法であって、前記サーチ結果は前記サーチ制限条件に関係する情報の集合内のデータ・アイテムを識別することである、方法において、
（ａ）前記サーチ制限条件を受け取るステップと、
（ｂ）前記サーチ制限条件に関連するトピックの集合を識別するステップと、
（ｃ）トピックの前記集合に関連する主題ドメインを作成するステップと、
（ｄ）主題ドメインごとに最多の代表的トピックを判定するステップと、
（ｅ）識別された主題ドメインごとに前記最多の代表的トピックを表示デバイスに表示するステップと
を有することを特徴とする方法。
【請求項１３】
主題ドメインごとに前記最多の代表的トピックを判定するステップは、
（ｉ）情報の前記集合内のデータ・アイテムの分布のある数を超えて出現する主題ドメイン内のトピックを識別するステップと、
（ii）ステップ（ｉ）で識別されたトピックを、前記トピックが情報の前記集合内に最
も低頻度で出現する時に前記最多の代表的トピックとして識別するステップと
を有することを特徴とする請求項１２に記載の方法。
【請求項１４】
トピックの前記集合内の前記トピックのそれぞれをランキングするステップをさらに含むことを特徴とする請求項１２に記載の方法。
【請求項１５】
トピックの前記集合内の前記トピックのそれぞれをランキングするステップは、
（ｉ）前記識別されたトピック内のトピックが現行トピックであり、個人的関心トピックである時に、最高ランキングを前記トピックに割り当てるステップと、
（ii）前記識別されたトピック内のトピックが現行トピックである時に、２番目に高いランキングを前記トピックに割り当てるステップと、
（iii）前記識別されたトピック内のトピックが個人的関心トピックである時に、３番目に高いランキングを前記トピックに割り当てるステップと、
（iv）現行トピックでも個人的関心トピックでもない前記識別されたトピック内のトピックに４番目に高いランキングを割り当てるステップと
を有することを特徴とする請求項１４に記載の方法。
【請求項１６】
各ランキング内で、トピックは、前記サーチ結果内の出現の頻度に基づいてランキングされ、最も低い頻度で出現するトピックは、より関連すると考えられることを特徴とする請求項１５に記載の方法。
【請求項１７】
各トピックは、複数の実質的に連続する単語の単語組合せを含み、２つの単語は、それらが単語の所定のリストから選択された０個以上の単語のみによって分離される場合に実質的に連続し、前記単語の所定のリストはストップ・ワードを含むことを特徴とする請求項１２に記載の方法。
【請求項１８】
情報の前記集合は、企業ネットワーク内に配置された情報、サーバ内に配置された情報、パーソナル・コンピュータ内に配置された情報、インターネット上に配置された情報、又は電子メール・メッセージ若しくは電子メール添付ファイル内に含まれる情報のうちの１つ又は複数を含むことを特徴とする請求項１２に記載の方法。
【請求項１９】
データ・アイテムは、テキスト文書、グラフィック文書、オーディオ・ファイル、ビデオ・ファイル、マルチメディア文書、電子メール・メッセージ、電子メール添付ファイル、又はインターネット・ウェブ・ページのうちの１つ又は複数を含むことを特徴とする請求項１２に記載の方法。
【手続補正書】
【提出日】平成22年2月1日(2010.2.1)
【手続補正１】
【補正対象書類名】特許請求の範囲
【補正対象項目名】全文
【補正方法】変更
【補正の内容】
【特許請求の範囲】
【請求項１】
ランプ電極を有し、前記電極のうちの少なくとも一方が、２つの電極ターミナルおよび室温での低温時の抵抗を有するフィラメントとして構成されている放電ランプを駆動するための方法において、
第１時間インターバル中に、前記２つのランプ電極の間で、前記一方の電極をカソードとして作動させて、前記放電ランプに放電ランプ電流が流れるようにするステップと、
第２時間インターバル中に、前記放電ランプ電流を遮断するステップと、
双方の時間インターバル中に、前記一方の電極を電極加熱電流が通るように、前記一方の電極の前記２つの電極ターミナルに電極加熱電圧を印加するステップとを備え、
前記第１時間インターバル中に、前記ランプに供給される電力は、前記放電ランプ電流が公称電流の大きさ未満の大きさを有するような値となっており、前記公称電流の大きさは、付加的に電極加熱電流が流されることなくランプが連続放電モードで作動されるときに、高温時の抵抗が低温時の抵抗の４．３〜５．１倍になる作動温度を前記一方の電極が有するような値となっており、
前記一方の電極の高温時の抵抗が低温時の抵抗の４．３〜５．１倍の前記範囲内となるように、前記電極加熱電流の大きさが設定されている、放電ランプを駆動するための方法。
【請求項２】
前記第１時間インターバル中に、前記放電ランプ電流は、前記公称電流の大きさの０.９倍未満である、請求項１に記載の方法。
【請求項３】
前記電極加熱電流の大きさは、前記一方の電極の高温時の抵抗が低温時の抵抗の約４.７倍となるように設定されている、請求項１記載の方法。
【請求項４】
前記電極加熱電流の大きさは、前記一方の電極の高温時の抵抗が低温時の抵抗の約α倍となるように、前記ランプ電流のデューティサイクルΔに関連して設定されており、αは４.７−σから４.７＋σの範囲内であり、０.０５≦Δ≦０.７においてσ＝０.１６６＋０.３３・Δである、請求項１に記載の方法。
【請求項５】
前記第１時間インターバル中に、前記電極加熱電流は、前記公称電流の大きさの０．１倍に少なくとも等しいか、またはそれよりも大きな大きさを有する、請求項１に記載の方法。
【請求項６】
前記第２時間インターバル中に、前記電極加熱電流は、前記第１時間インターバル中の前記電極加熱電流の大きさよりも実質的に大きな大きさを有する、請求項１に記載の方法。
【請求項７】
前記第２時間インターバル中に、前記電極加熱電流は、前記第１時間インターバルにおける前記放電ランプ電流と前記電極加熱電流の大きさとの合計に実質的に等しい大きさを有する、請求項６に記載の方法。
【請求項８】
前記第２時間インターバル中に、前記電極加熱電流は、前記第１時間インターバル中における前記電極加熱電流の大きさに実質的に等しい大きさを有する、請求項１に記載の方法。
【請求項９】
デューティサイクルΔは、少なくとも５％に等しいか、またはそれより大きい、請求項１に記載の方法。
【請求項１０】
デューティサイクルΔは、大きくて７０％に等しいか、またはそれより小さい、請求項１に記載の方法。
【請求項１１】
前記第２時間インターバル中に、前記２つの電極ターミナルにわたる高温時の電圧を測定すると共に、前記２つの電極ターミナルを通過する高温時の電流を測定し、前記高温時の電圧と前記高温時の電流との間の比として、前記高温時の電極抵抗を計算する、請求項１に記載の方法。
【請求項１２】
２つの電極ターミナルを有するフィラメントとして構成された少なくとも１つの電極を有する少なくとも１つの放電ランプを駆動するためのランプドライバデバイスであって、前記ドライバデバイスは請求項１乃至１１のいずれか１項に記載の方法を実行するように構成されているランプドライバデバイス。
【請求項１３】
常時前記ランプのうちの少なくとも１つがオンとなっている間、他のランプがオフとなるように、複数の放電ランプを駆動するための、請求項１２に記載のランプドライバデバイス。
【請求項１４】
請求項１３に記載のランプドライバデバイスを備える、スキャニングバックライトシステム。
【手続補正書】
【提出日】平成22年2月25日(2010.2.25)
【手続補正１】
【補正対象書類名】特許請求の範囲
【補正対象項目名】全文
【補正方法】変更
【補正の内容】
【特許請求の範囲】
【請求項１】
燃料電池セルスタック（３１）とスタック電力制御部とを含む電気化学燃料電池（３０）であって、
前記燃料電池セルスタックは、所定数の燃料電池セル（３２）と、電気的な出力部（３３）とを含み、
前記燃料電池セルは、膜電極接合体と、前記膜電極接合体に燃料及び酸化剤を供給するための流体フロープレートとを有し、
前記出力部は、前記燃料電池セルスタックからの出力電流を供給するためのものであり、
前記スタック電力制御部（３８）は、
接続切替可能な負荷デバイス（３６）を含み、
加湿時間中、前記燃料電池セルスタックから前記接続切替可能な負荷デバイスを介して電流を流すことにより、燃料電池外部の独立した電流需要に加えて、又は、この電流需要に代わって、周期的かつ一時的に前記燃料電池スタックからの出力電流を増加させる制御を行うことによって、前記燃料電池セルの保湿レベルを増加させる、
電気化学燃料電池。
【請求項２】
請求項１に記載された電気化学燃料電池であって、
さらに電力蓄積部（３９）を含み、
前記電力蓄積部は、燃料電池（３０）の電力の外部出力端子（３５）に接続され、
前記スタック電力制御部（３８）は、前記加湿時間中に、燃料電池セルスタック（３１）の前記出力部（３３）を前記外部出力端子（３５）から絶縁する制御を行う、
電気化学燃料電池。
【請求項３】
請求項１に記載された電気化学燃料電池であって、
さらに電力蓄積部（３９）と負荷制御デバイス（４０）とを含み、
前記電力蓄積部は、燃料電池（３０）の電力の外部出力端子（３５）に接続され、
前記負荷制御デバイスは、前記電力蓄積部と前記燃料電池スタック（３１）の何れか一方、又は両方から燃料電池の前記外部出力端子への電流の供給を制御する、
電気化学燃料電池。
【請求項４】
請求項２又は３に記載された電気化学燃料電池であって、
前記電力蓄積部（３９）は、リチャージ可能なバッテリーである、
電気化学燃料電池。
【請求項５】
請求項１に記載された電気化学燃料電池であって、
前記スタック電力制御部（３８）は、前記加湿時間が規則的な時間で到来するように制御する、
電気化学燃料電池。
【請求項６】
請求項１又は５に記載された電気化学燃料電池であって、
前記スタック電力制御部（３８）は、基準内にある前記燃料電池スタックのパラメータに応じて、前記加湿時間が設けられるように制御する、
電気化学燃料電池。
【請求項７】
請求項１に記載された電気化学燃料電池であって、
前記スタック電力制御部（３８）は、高電流時間と絶縁時間とを含む加湿時間が設けられるように制御し、
前記高電流時間において、前記燃料電池スタックの出力電流は、通常動作の電流需要より高く、
前記絶縁時間において、前記燃料電池スタックの出力電流は、通常動作の電流需要より低い、
電気化学燃料電池。
【請求項８】
請求項７に記載された電気化学燃料電池であって、
前記スタック電力制御部（３８）は、前記絶縁時間中、前記燃料電池スタック（３１）を絶縁させる制御を行う、
電気化学燃料電池。
【請求項９】
請求項３に記載された電気化学燃料電池であって、
前記負荷制御デバイス（４０）は、前記加湿時間の後、前記燃料電池スタックから前記外部出力端子（３５）への電力供給を立ち上げる制御を行う、
電気化学燃料電池。
【請求項１０】
請求項１に記載された電気化学燃料電池であって、
前記スタック電力制御部は、前記加湿時間中、前記燃料電池スタック（３１）の前記流体フロープレートに流すエアフローを調節する制御を行う、
電気化学燃料電池。
【請求項１１】
燃料電池セルスタック（３１）とスタック制御部（３８）と維持手段とを含む電気化学燃料電池（３０）であって、
前記燃料電池セルスタックは、所定数の燃料電池セル（３２）と、電気的な出力部（３３）とを含み、
前記燃料電池セルは、膜電極接合体と、前記膜電極接合体に燃料及び酸化剤を供給するための流体フロープレートとを有し、
前記出力部は、前記燃料電池セルスタックからの出力電流を供給するためのものであり、
前記スタック制御部は、燃料電池に対する電流需要とは関係なく、周期的に前記燃料電池セルスタック（３１）に流すエアフローを調節する制御を行うことによって、前記燃料電池セルの保湿レベルを増加させる加湿時間を設け、
前記維持手段は、前記加湿時間中、燃料電池外部の負荷の電流需要を支える制御を行う、
電気化学燃料電池。
【請求項１２】
燃料電池セルスタック（３１）を有する電気化学燃料電池（３０）の動作方法であって、
前記燃料電池セルスタックは、所定数の燃料電池セル（３２）と、電気的な出力部（３３）とを含み、
前記燃料電池セルは、膜電極接合体と、前記膜電極接合体に燃料及び酸化剤を供給するための流体フロープレートとを有し、
前記出力部は、前記燃料電池セルスタックからの出力電流を供給するためのものであり、
加湿時間中に前記燃料電池セルスタックから燃料電池内部の前記接続切替可能な負荷デバイス（３６）を介して電流を流すことにより、燃料電池外部の電流需要とは関係なく、加湿時間中に、周期的かつ一時的に前記燃料電池スタックからの出力電流を増加させることによって、前記燃料電池セルの保湿レベルを増加させるステップと、
前記加湿時間中、燃料電池（３０）外部の負荷（４１）の電流需要を支えるステップとを含む、
電気化学燃料電池の動作方法。
【請求項１３】
請求項１２に記載された電気化学燃料電池の動作方法であって、
前記加湿時間中の電流需要を支えるステップには、電力蓄積部（３９）の使用が含まれる、
電気化学燃料電池の動作方法。
【請求項１４】
燃料電池セルスタック（３１）を有する電気化学燃料電池（３０）の動作方法であって、
前記燃料電池セルスタックは、所定数の燃料電池セル（３２）と、電気的な出力部（３３）とを含み、
前記燃料電池セルは、膜電極接合体と、前記膜電極接合体に燃料及び酸化剤を供給するための流体フロープレートとを有し、
前記出力部は、前記燃料電池セルスタックからの出力電流を供給するためのものであり、
燃料電池に対する電流需要とは関係なく、周期的に前記燃料電池セルスタックに流すエアフローを調節することによって、前記燃料電池セルの保湿レベルを増加させる加湿時間を設けるとともに、
前記加湿時間中、燃料電池外部の負荷（４１）の電流需要を支えるステップとを含む、
電気化学燃料電池の動作方法。
【請求項１５】
請求項１４に記載された電気化学燃料電池の動作方法であって、
前記加湿時間中の電流需要を支えるステップには、電力蓄積部（３９）の使用が含まれる、
電気化学燃料電池の動作方法。
【手続補正書】
【提出日】平成22年2月12日(2010.2.12)
【手続補正１】
【補正対象書類名】特許請求の範囲
【補正対象項目名】全文
【補正方法】変更
【補正の内容】
【特許請求の範囲】
【請求項１】
コンピュータのオペレーティングシステム（ＯＳ）のユーザモードにおいて、呼び出し元から実行可能コードを受信するステップと、
前記実行可能コードが、実行可能メモリページを割り当てる命令、または、実行可能メモリページの属性を変更する命令を含んでいるか否かを、コンピュータにより判定するステップと、を含み、
前記実行可能コードが、実行可能メモリページを割り当てる命令、または、実行可能メモリページの属性を変更する命令を含んでいる場合には、
前記呼び出し元の特権を検査するために、前記コンピュータにより、前記コンピュータのＯＳをカーネルモードに切り換えるステップと、
前記コンピュータが、前記実行可能コードをメモリに読み込む関数を、前記コンピュータのＯＳの特権リングに限定するステップと、
を含むステップを実行する、実行可能コード変更の防止のための方法。
【請求項２】
前記実行可能コードのページレベル保護を実施するステップをさらに含む請求項１に記載の方法。
【請求項３】
前記呼び出し元の特権を検査するためのステップが、
前記実行可能ページの前記割り当て、または、前記実行可能ページの前記属性の変更を許す前に、前記ＯＳの前記特権リングだけに割り当てられた特権が存在するか否かを判定するステップ、
を含む請求項１に記載の方法。
【請求項４】
前記実行可能コードが読み込まれた後、前記実行可能コードの完全性を検査するステップをさらに含む請求項３に記載の方法。
【請求項５】
前記ページレベル保護は、ハードウェアベースの実施、および、実行可能ページの追跡を使用して実行される請求項４に記載の方法。
【請求項６】
請求項１から５のいずれかに記載のステップを、コンピュータで実行するための命令を有するコンピュータ可読媒体。
【請求項７】
コンピュータのオペレーティングシステム（ＯＳ）のユーザモードにおいて、呼び出し元から実行可能コードを受信する手段と、
前記実行可能コードが、実行可能メモリページを割り当てる命令、または、実行可能メモリページの属性を変更する命令を含んでいるか否かを判定する手段と、
前記実行可能コードが、実行可能メモリページを割り当てる命令、または、実行可能メモリページの属性を変更する命令を含んでいる場合には、前記呼び出し元の特権を検査するために、前記コンピュータのＯＳをカーネルモードに切り換える手段と、
前記実行可能コードをメモリに読み込む関数を、前記コンピュータのＯＳの特権リングに限定する手段と、
を備えた、実行可能コード変更の防止のためのシステム。
【請求項８】
前記実行可能コードのページレベル保護を実施するための手段をさらに含む請求項７に記載のシステム。
【請求項９】
前記呼び出し元の特権を検査する手段は、前記実行可能ページの前記割り当て、または、前記実行可能ページの前記属性の変更を許す前に、前記ＯＳの前記特権リングだけに割り当てられた特権が存在するかどうかを判定する請求項７に記載のシステム。
【請求項１０】
前記実行可能コードが読み込まれた後、前記実行可能コードの完全性を検査するための手段をさらに含む請求項９に記載のシステム。
【請求項１１】
ページレベル保護を実施するための前記手段は、ハードウェアベースの実施、および実行可能ページの追跡のための手段を含む請求項１０に記載のシステム。
【請求項１２】
コンピュータのオペレーティングシステム（ＯＳ）のユーザモードにおいて、呼び出し元から実行可能コードを受信するステップと、
前記実行可能コードが、実行可能メモリページを割り当てる命令、または、実行可能メモリページの属性を変更する命令を含んでいるか否かを、コンピュータにより判定するステップと、を含み、
前記実行可能コードが、実行可能メモリページを割り当てる命令、または、実行可能メモリページの属性を変更する命令を含んでいる場合には、
前記呼び出し元の特権を検査するために、前記コンピュータにより、前記コンピュータのＯＳをカーネルモードに切り換えるステップと、
前記コンピュータが、前記実行可能コードをメモリに読み込む関数を、前記コンピュータのＯＳの特権リングに限定するステップと、
前記実行可能コードが読み込まれた後、前記実行可能コードの完全性を検査するステップと、
を含むステップを実行し、
前記ページレベル保護は、ハードウェアベースの実施、および、実行可能ページの追跡を使用して実行されることを特徴とする、データページの変更の防止のための方法。
【請求項１３】
請求項１２に記載のステップを、コンピュータで実行するための命令を有するコンピュータ可読媒体。
【手続補正書】
【提出日】平成22年1月27日(2010.1.27)
【手続補正１】
【補正対象書類名】特許請求の範囲
【補正対象項目名】全文
【補正方法】変更
【補正の内容】
【特許請求の範囲】
【請求項１】
メモリと、該メモリに接続され、かつタイミング回路を含むロジックとを有する集積回路の動作パラメータを調整するための方法であって、
前記メモリにアクセスすること、
前記メモリへのアクセス速度とタイミング回路の速度とを比較すること、
比較結果に基づいて前記メモリの動作パラメータを選択的に調整して、前記タイミング回路の速度に対する前記メモリの速度を変更すること
を備える方法。
【請求項２】
メモリと、該メモリに接続され、かつタイミング回路を含むロジックとを有するデータ処理システムの動作パラメータを調整するための方法であって、
メモリアクセスを開始すること、
開始に応答して、カウント回路を活性化して前記タイミング回路により生成されるパルスをカウントすること、
メモリアクセスを完了したことに応答して、前記カウント回路がカウント値を出力すること、
前記カウント値を用いてメモリアクセスの相対速度を決定すること、
前記相対速度に基づいて前記データ処理システムの供給電圧を選択的に調整すること
を備える方法。
【請求項３】
集積回路であって、
リング発振器と、
前記リング発振器の出力に接続されたクロック入力を有するシフトレジスタであって、前記シフトレジスタはメモリへのメモリアクセスの開始に応答して活性化され、メモリアクセスの完了に応答して非活性化される、シフトレジスタと、
前記シフトレジスタの出力に接続され、前記メモリの相対速度を示す相対速度指標を供給する比較ロジックと
を備える集積回路。
【手続補正書】
【提出日】平成22年2月26日(2010.2.26)
【手続補正１】
【補正対象書類名】特許請求の範囲
【補正対象項目名】全文
【補正方法】変更
【補正の内容】
【特許請求の範囲】
【請求項１】
アレイ部分および論理部分を有する、半導体基板と、
前記基板の前記アレイ部分内に形成される第一のＵ型トランジスタであって、前記第一のＵ型トランジスタは、第一のピラーの頂部に配置される第一のソース／ドレイン領域、
第二のピラーの頂部に配置される第二のソース／ドレイン領域、および前記第一のソース／ドレイン領域と前記第二のソース／ドレイン領域に接続するＵ型チャネルを含み、ここで、前記Ｕ型チャネルは前記半導体基板に接触し、前記第一のソース／ドレイン領域と前記第二のソース／ドレイン領域はシャロウトレンチによって分離される、第一のＵ型トランジスタと、
前記基板の前記アレイ部分に形成される第二のＵ型トランジスタであって、前記シャロウトレンチにほぼ平行であるディープトレンチによって、前記第一のＵ型トランジスタから分離される第二のＵ型トランジスタと、
前記ディープトレンチおよび前記シャロウトレンチと交差する中間の深さのトレンチであって、前記第一と第二のＵ型トランジスタに隣接して形成される、中間の深さのトレンチと、
前記基板の前記論理部分上に形成される少なくとも一つのトランジスタ素子であって、
前記トランジスタ素子はゲート誘電体層および論理ゲート材料を含み、ここで、前記ゲート誘電体層は、前記第一のソース／ドレイン領域と前記第二のソース／ドレイン領域を基準としてせり上げられる、トランジスタ素子と、
を含む、装置。
【請求項２】
前記少なくとも一つのトランジスタ素子はプレーナ型トランジスタである、請求項１の装置。
【請求項３】
前記ディープトレンチおよび前記シャロウトレンチは、酸化物材料によって充填される、請求項１の装置。
【請求項４】
前記少なくとも一つのトランジスタ素子の垂直方向の側壁に隣接して形成されるスペーサをさらに含み、前記スペーサはチッ化物材料を含む、請求項１の装置。
【請求項５】
前記スペーサは前記第一のピラーの幅の半分以上の幅を持つ、請求項４の装置。
【請求項６】
前記第一と第二のＵ型トランジスタに隣接して形成される細長いスペーサをさらに含み、前記細長いスペーサは、前記中間の深さのトレンチ内に形成されるとともに導電性ゲート材料を含む、請求項１の装置。
【請求項７】
前記論理ゲート材料は多結晶シリコン材料を含む、請求項１の装置。
【請求項８】
前記論理ゲート材料は、さらにケイ化タングステンおよびケイ化チタンからなるグループから選択される材料を含む、請求項７の方法。
【請求項９】
前記第一のソース／ドレイン領域上に形成されるキャパシタと、
前記第二のソース／ドレイン領域上に形成される絶縁されたビット線と、
をさらに含む、請求項１の装置。
【請求項１０】
複数のシャロウトレンチおよび複数のディープトレンチを、基板アレイ領域内にパターニングするステップと、
フォトリソグラフィーマスクを、前記基板アレイ領域の一部および基板論理領域の一部を覆って堆積するステップと、
複数の中間の深さのトレンチを、前記基板アレイ領域内にパターニングするステップであって、前記中間の深さのトレンチは、前記シャロウトレンチおよび前記ディープトレンチと交差し、前記中間の深さのトレンチ、前記シャロウトレンチ、および前記ディープトレンチは、複数のＵ型トランジスタ構造物を前記基板アレイ領域内に画定する、ステップと、
前記複数の中間の深さのトレンチを画定するために、前記フォトリソグラフィーマスクを使用するステップと、
複数のプレーナ型トランジスタ構造物を、前記基板論理領域内にパターニングするステップであって、前記複数のプレーナ型トランジスタ構造物は、前記フォトリソグラフィーマスクによって画定される、ステップと、
を含む、方法。
【請求項１１】
前記シャロウトレンチの少なくとも一つが、二つのディープトレンチの間に配置され、
前記複数のシャロウトレンチと前記複数のディープトレンチは互いに平行である、
請求項１０の方法。
【請求項１２】
前記複数の中間の深さのトレンチをパターニングした後に、前記基板アレイ領域および前記基板論理領域上に絶縁性材料を堆積するステップと、
前記論理領域内の前記プレーナ型トランジスタ構造物を露出するために、前記絶縁性材料を平坦化するステップと、
前記基板上に金属層を堆積するステップであって、前記金属層は前記複数の露出されたプレーナ型トランジスタ構造物と接触しているステップと、
前記金属を、前記露出されたプレーナ型トランジスタ構造物と反応させるステップと、
をさらに含む、請求項１０の方法。
【請求項１３】
前記金属層はチタンを含み、前記ケイ化物領域はケイ化チタンを含む、請求項１２の方法。
【請求項１４】
前記フォトリソグラフィーマスクを使用するステップが、
前記基板アレイ領域と前記基板論理領域上に導電性材料の層を堆積するステップと、
前記基板アレイ領域上の複数のギャップによって分離される複数のラインを画定し、
ならびに、前記基板論理領域上の複数のプレーナ型トランジスタ構造物を画定するために、導電性材料の層をエッチングするステップと、
ハードマスクを画定する充填されたギャップを形成するために、前記基板アレイ領域上の前記複数のラインに沿って材料のブランケット層を堆積するステップと、
前記基板論理領域をマスクするステップと、
前記複数のラインを前記基板アレイ領域から除去し、それにより複数のラインが除去されたところから、複数の露出した領域を形成するステップと、
前記ハードマスクによって覆われる、前記複数の露出した領域内の前記中間のトレンチをエッチングするステップと、
を含む、
請求項１０の方法。
【請求項１５】
前記ブランケット層を堆積するステップが、前記複数のプレーナ型トランジスタ構造物を覆ってブランケット層を堆積するステップを含み、
前記複数のプレーナ型トランジスタ構造物に隣接する複数の側壁スペーサを形成するために、前記ハードマスク層を画定すると同時に、前記基板論理領域内の前記複数のプレーナ型トランジスタ構造物上から前記ブランケット層を方向性エッチングするステップと、
をさらに含む、
請求項１４の方法。
【請求項１６】
前記複数のプレーナ型トランジスタ構造物は、ゲート誘電体上にシリコンを備えるゲートスタックを含む、請求項１０の方法。
【請求項１７】
前記ゲートスタックは、ケイ化タングステンおよびケイ化チタンからなるグループから選択される材料を含むケイ化物材料ストラップ領域からなる、請求項１６の方法。
【請求項１８】
複数の細長い導電性側壁スペーサを、前記中間の深さのトレンチ内に形成するステップをさらに含む、請求項１０の方法。
【請求項１９】
前記複数のＵ型トランジスタ構造物は、ソース領域、ドレイン領域、および前記ソース領域と前記ドレイン領域に接続するチャネルを含み、前記チャネルは前記基板に接触しており、前記ソース領域および前記ドレイン領域は、前記複数のＵ型トランジスタの第一および第二のピラーの頂上にそれぞれ形成される、請求項１０の方法。
【手続補正書】
【提出日】平成22年1月20日(2010.1.20)
【手続補正１】
【補正対象書類名】特許請求の範囲
【補正対象項目名】全文
【補正方法】変更
【補正の内容】
【特許請求の範囲】
【請求項１】
ドレインパッド；及び
前記ドレインパッドから延在する複数の金属ドレインフィンガーであり、少なくとも１つの金属ドレインフィンガーが１つ以上の金属区画を有し、各金属区画が、バンブーレジーム内に維持された金属幅を有する１つ以上の金属ブランチを含む、複数の金属ドレインフィンガー；
を有するメタル構造を具備したＲＦパワートランジスタ。
【請求項２】
前記金属ドレインフィンガーは多数の金属区画を有し、各金属区画は、バンブーレジーム内に維持された金属幅を有する１つ以上の金属ブランチを含み、如何なる２つの連続する区画においても、該２つの区画のうちの遠い側の区画は該２つの区画のうちの近接側の区画より、少なくとも１つ少ないブランチを含む、請求項１に記載のＲＦパワートランジスタ。
【請求項３】
前記金属ドレインフィンガーは３つの金属区画を有し、１つのブランチを有する第１区画が、２つの平行なブランチを有する第２区画に結合されており、更に該第２区画が、３つの平行なブランチを有する第３区画に結合されている、請求項２に記載のＲＦパワートランジスタ。
【請求項４】
ドレインパッドを設ける工程；及び
前記ドレインパッドから複数の金属ドレインフィンガーを延在させる延在工程であり、少なくとも１つの金属ドレインフィンガーが１つ以上の金属区画を有し、各金属区画が、バンブーレジーム内に維持された金属幅を有する１つ以上の金属ブランチを含む、延在工程；
を有する、メタル構造を具備したＲＦパワートランジスタを製造する方法。
【請求項５】
バンブーレジームの前記金属幅は、前記ドレインフィンガーの金属の平均粒径より小さい幅を有する、請求項４に記載の方法。
【手続補正書】
【提出日】平成22年2月18日(2010.2.18)
【手続補正１】
【補正対象書類名】特許請求の範囲
【補正対象項目名】全文
【補正方法】変更
【補正の内容】
【特許請求の範囲】
【請求項１】
構内電話配線に接続する第１のインタフェース手段と、ネットワークにアクセスする第２のインタフェース手段とを有する装置であって、前記構内電話配線は中央局内に設置された第１の電話加入者回線インタフェース手段に接続され、前記構内電話配線は少なくとも第１のアナログ電話機および前記装置を接続する２つ以上のプラグ接続手段を有しており、
第２の電話加入者回線インタフェース手段と、
前記構内電話配線が前記第１の電話加入者回線インタフェース手段から切断されたときに、前記ネットワークを介して前記第２の電話加入者回線インタフェース手段によって前記少なくとも第１のアナログ電話機に電話サービスを提供する手段と、を有し、
前記装置は前記２つ以上のプラグ接続手段のうちのいずれか１つに接続されていることを特徴とする前記装置。
【手続補正書】
【提出日】平成22年2月5日(2010.2.5)
【手続補正１】
【補正対象書類名】特許請求の範囲
【補正対象項目名】全文
【補正方法】変更
【補正の内容】
【特許請求の範囲】
【請求項１】
順方向誤り符号化を動的に割り当てるための方法（４００）であって、
送信されるデータについての帯域幅の利用を監視するステップ（４０２）と、
帯域幅の前記利用に応答して、利用されていない帯域幅が実質的に占有されるように、順方向誤り符号化のレベルを調節するステップ（４０８）とを含む方法。
【請求項２】
前記監視するステップは、送信バッファ内の前記データを監視するステップ（４０２）を含む請求項１に記載の方法。
【請求項３】
前記調節するステップは、
帯域幅の前記利用が増加する場合に順方向誤り符号化のレベルを下げるステップ（４０８）と、
帯域幅の前記利用が減少する場合に順方向誤り符号化のレベルを上げるステップ（４０８）とをさらに含む請求項１に記載の方法。
【請求項４】
使用すべき順方向誤り符号化の最小限のレベルを設定するステップ（４０６）を更に含む請求項１に記載の方法。